(57)【要約】  【課題】  ゴンドラ式陳列棚において、奥にある商品を手前に移し易く、新しい商品の補充を容易にする後付スライド式商品陳列棚を提供すること。  【解決手段】  トレー載置部１ａ、１ｂと、トレー載置部１ａ、１ｂの両側に付設されるトレー２の前後移動を案内する第１ガイド部２ａ、２ｂと、既設の支柱１１、１１のスリット１２に係合する一対の係合片３を付設するスライドトレー支持体１と、底板８の裏面に第１ガイド部２ａ、２ｂと嵌合する第２ガイド部２４を有し、トレー載置部１ａ、１ｂに、スライドトレー支持体１に対して前後移動自在に設置されるトレー２を有するものであって、支柱１１、１１間に設置される既設の商品陳列棚４０に後付で設置される。【選択図】    図１
2006087777.tif 000002
【特許請求の範囲】
【請求項１】
トレー載置部と、該トレーの前後移動を案内する第１ガイド部と、既設の支柱のスリットに係合する一対の係合片を付設するスライドトレー支持体と、
該第１ガイド部と嵌合する第２ガイド部を有し、トレー載置部に、該スライドトレー支持体に対して前後移動自在に設置されるトレーと、
を有するものであって、該支柱間に設置されることを特徴とするスライド式商品陳列棚。
【請求項２】
前記スライドトレー支持体は、該支柱間に設置される既設の商品陳列棚に後付で設置されることを特徴とする請求項１記載のスライド式商品陳列棚。
【請求項３】
前記スライドトレー支持体は、該支柱に設置される一対のブラケットに設置されることを特徴とする請求項１記載のスライド式商品陳列棚。
【請求項４】
トレー載置部と、該トレーの前後移動を案内するレール部と、支柱のスリットに係合する一対のブラケットを付設するスライドトレー支持体と、
該第１ガイド部と嵌合する第２ガイド部を有し、トレー載置部に、該スライドトレー支持体に対して前後移動自在に設置されるトレーと、
を有するものであって、該支柱間に設置されることを特徴とするスライド式商品陳列棚。
【請求項５】
該スライドトレー支持体は、２つのトレー載置部を備えることを特徴とする請求項１〜４のいずれか１項記載のスライド式商品陳列棚。
【請求項６】
多段に設置して多段の商品陳列面を形成することを特徴とする請求項１〜５のいずれか１項記載のスライド式商品陳列棚。
【発明の詳細な説明】
【技術分野】
【０００１】
本発明は、スーパーなどで使用される既設のゴンドラと呼ばれる陳列棚又は支柱間に設置する新しい商品の補充を容易にするスライド式商品陳列棚に関するものである。
【背景技術】
【０００２】
スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
【０００３】
しかしながら、新しい商品を後方の空間へ補充する作業は、前方にある商品が邪魔をして行い難い。また、奥にある商品を手前に移すのも大変な作業となっている。まして、ゴンドラ式陳列棚の中間棚においては、上下の棚板間隔が狭く、手が奥まで入れ難く更にこれらの作業を困難なものとしている。
【０００４】
登録実用新案第３０４３２８８号公報には、固定されている商品陳列棚の棚全体を、ワンタッチで手前への引き出しを可能とし、陳列商品の前面への再整列、整理整頓、並びに補充業務を安全、迅速かつ正確に実施できる新器具が開示されている。この新器具は回転車を組み込んだ中継具と、既存の陳列棚支持具に相当する逆Ｌ字型基軸盤、更に２種類の器具を包み込む支持器カバーを設け、これらの器具を一体として組み込んだものである。
【特許文献１】登録実用新案第３０４３２８８号公報（請求項１）
【発明の開示】
【発明が解決しようとする課題】
【０００５】
しかしながら、この新器具は、中継具の中に回転車を組み込んでいるなど構造が複雑であり、製造コストが高い。更に必ずしも既設の商品陳列棚に後付で適用できるものではないという問題がある。
【０００６】
従って、本発明の目的は、ゴンドラ式陳列棚において、奥にある商品を手前に移し易く、新しい商品の補充を容易にするスライド式商品陳列棚を提供することにある。
【課題を解決するための手段】
【０００７】
すなわち、本発明（１）は、トレー載置部と、該トレーの前後移動を案内する第１ガイド部と、既設の支柱のスリットに係合する一対の係合片を付設するスライドトレー支持体と、該第１ガイド部と嵌合する第２ガイド部を有し、トレー載置部に、該スライドトレー支持体に対して前後移動自在に設置されるトレーと、を有するものであって、該支柱間に設置されることを特徴とするスライド式商品陳列棚を提供するものである。
【０００８】
また、本発明（２）は、前記スライドトレー支持体は、該支柱間に設置される既設の商品陳列棚に後付で設置されることを特徴とする前記スライド式商品陳列棚を提供するものである。
【０００９】
また、本発明（３）は、前記スライドトレー支持体は、該支柱に設置される一対のブラケットに設置されることを特徴とする前記スライド式商品陳列棚を提供するものである。
【００１０】
また、本発明（４）は、トレー載置部と、該トレーの前後移動を案内するレール部と、支柱のスリットに係合する一対のブラケットを付設するスライドトレー支持体と、該第１ガイド部と嵌合する第２ガイド部を有し、トレー載置部に、該スライドトレー支持体に対して前後移動自在に設置されるトレーと、を有するものであって、該支柱間に設置されることを特徴とするスライド式商品陳列棚を提供するものである。
【００１１】
また、本発明（５）は、該スライドトレー支持体は、２つのトレー載置部を備えることを特徴とする前記スライド式商品陳列棚を提供するものである。
【００１２】
また、本発明（６）は、多段に設置して多段の商品陳列面を形成することを特徴とする前記スライド式商品陳列棚を提供するものである。
【発明の効果】
【００１３】
本発明によれば、既設のゴンドラ式陳列棚の棚板本体に簡易な構造の該棚板本体と外形寸法が同じのスライドトレー支持体を載置するか、あるいは支柱間に差し渡しでスライドトレー支持体を取り付け、更にその上に商品を陳列するトレーを載せるだけで容易に組立てできる。また、使用に際しては、従来、大変であった前出しなどの作業を、トレーを手前に引き出し、奥にある商品を前出し、奥のスペースに新たな商品を補充し、次いでトレーを押して元の位置に戻すという簡易な操作で容易に行うことができる。
【発明を実施するための最良の形態】
【００１４】
本発明の第１の実施の形態におけるスライド式商品陳列棚について図１〜図８を参照して説明する。図１は本例のスライド式商品陳列棚の使用状態を示す図、図２は本例のスライド式商品陳列棚で用いるトレーの斜視図、図３は本例のスライド式商品陳列棚で用いるスライドトレー支持体の斜視図、図４（Ａ）は図２のトレーの裏側から見た斜視図、図４（Ｂ）は（Ａ）のＺ方向から見た部分拡大図、図５〜図８は本例のスライド式商品陳列棚の組み付け方法を説明する図である。なお、図中、符号Ｘは手前（前方）側を示し、符号Ｙは後方側を示し、左右方向は手前側から見た方向を言う。
【００１５】
第１の実施の形態例に係るスライド式商品陳列棚１０は、支柱１１、１１間に差し渡しで取り付けられ且つ上下複数段備える既設の商品陳列棚の少なくとも１つの棚板本体に取り付けられるものであって、商品陳列棚４０上に設置される該商品陳列棚４０と外形寸法が略同一のスライドトレー支持体１と、スライドトレー支持体１上に設置されるトレー２を備えるものである。
【００１６】
スライドトレー支持体１は、前後左右の４つの桟部材４ａ〜４ｄを商品陳列棚４０と外形寸法が略同一の矩形状に組み付けた形態であって、前後の桟部材４ａ、４ｂは中間桟部６で接続されると共に、補強材５、５で接続されている。スライドトレー支持体１は、左側の桟部材４ｄと中間桟部材６の中央で区画される領域を第１トレー載置部１ａとし、該第１トレー載置部１ａの両側に付設されるトレー２の前後移動を案内する第１ガイド部２ａ、２ａを備える。また、右側の桟部材４ｃと中間桟部材６の中央で区画される領域を第２トレー載置部１ｂとし、該第２トレー載置部１ｂの両側に付設されるトレー２の前後移動を案内する第１ガイド部２ｂ、２ｂを備える。第１ガイド部２ａは中間桟部材６の左縁及び左桟部材４ｄの前後方向の中央から前方側に付設される上板（鍔部）が外側に屈曲する略Ｌ字断面形状のものであって、第１ガイド部２ａ、２ａの両側端（上板の外側端）間の長さが略トレー２の左右方向の長さ寸法に相当する。第１ガイド部２ｂは中間桟部材６の右縁及び右桟部材４ｃの前後方向の中央から前方側に付設される上板（鍔部）が外側に屈曲する略Ｌ字断面形状のものであって、第１ガイド部２ａと同様に、第１ガイド部２ｂ、２ｂの両側端（上板の外側端）間の長さが略トレー２の左右方向の長さ寸法に相当する。
【００１７】
また、スライドトレー支持体１は、後方桟部材４ｂの両側に、既設の支柱１１、１１のスリット１２、１２に係合する一対の係合片３、３を備える。また、前方桟部材４ａは、下方端を若干長くして既存の商品陳列棚の前方にある横溝に係合する係止片４１１を備える。そして、係止片４１１の両側端は外側に若干延びて突起部４１２、４１２を形成し、トレー２が引出される際、前方へ外れることを防止している。なお、既存の商品陳列棚の前方にある横溝は、通常、商品転落防止板が係合する溝である。
【００１８】
スライドトレー支持体１は上記形態に限定されず、例えば板状物にトレー載置部と、第１ガイド部と、一対の係合片を付設したものなども含まれる。
【００１９】
トレー２は天板なしの有底四角形の箱状物であって、後方板９の高さ寸法を若干大きくして商品の背もたれとしている。トレー２は、底板８の裏面の両側には、前後方向の中央から後方側に付設される、下板（鍔部）２４（図４では下板が上方に位置する）が内側に屈曲し、第１ガイド部２ａ、２ｂの上板の厚さよりやや大きい高さの溝２３を形成する略Ｌ字断面形状の第２ガイド部２１、２１を備えている。この第２ガイド部２１、２１は、トレー２がスライドトレー支持体１の第１トレー載置部１ａ又は第２トレー載置部１ｂに設置された状態において、スライドトレー支持体１の第１ガイド部２ａ、２ｂと重なり合うことがなく、設置後、トレー２を手前に引くことにより第１ガイド部２ａ、２ｂの上板が第２ガイド部２１、２１の溝２３内に入り、両者が遊嵌して、トレー２の前進移動をガイドする。
【００２０】
なお、スライドトレー支持体側の第１ガイド部と、トレー側の第２ガイド部の設置位置及び嵌合形態としては、上記形態に限定されず、例えば、スライドトレー支持体の補強部材５の上面に更に上板（鍔部）が屈曲したＬ字断面形状のレール２１０ａを設け、レール２１０ａにガイドされる１８０度反転した断面形状のレール部材２１０ｂを設ける方法（図１７）、スライドトレー支持体側の第１ガイド部２１１ａ、２１１ａをスライドトレー支持体の両側ではなく、表面の中央部に設け、当該ガイド部２１１ａ、２１１ａに嵌合する第１ガイド部２４１ａ、２４１ａをトレーの裏面に設ける方法（図１８）、スライドトレー支持体側の第１ガイド部をスライドトレー支持体の両側ではなく、一対のレール２１２ａ、２１２ａをやや離して設置し、一対のレール２１２ａ、２１２ａに嵌合する第１ガイド部２４２ａ、２４２ａをトレーの裏面に設ける方法が挙げられる（図１９）。
【００２１】
次に、本例のスライド式商品陳列棚１０の設置方法を図５〜図８を参照して説明する。本例のスライド式商品陳列棚１０が設置される既存の商品陳列棚としては、多数のスリットが形成された一対の支柱１１、１１間に設置される棚であれば、特に制限されず、本例では商品陳列棚４０の前方に左右方向に延出する横溝４２と該横溝４２に係合する商品転落防止板４１を備えるものである。先ず、商品転落防止板４１を商品陳列棚４０から外す（図５）。次いで、スライドトレー支持体１を商品陳列棚４０に設置する。この際、前方桟部材４ａの係止片４１１を商品陳列棚４０の横溝４２に差込み、一対の係合片３、３を支柱１１、１１のスリット１２、１２に差し込む。これにより、スライドトレー支持体１が商品陳列棚４０に固定される（図６）。次に、２つのトレー２、２を用意し、１つのトレー２をスライドトレー支持体１の第１トレー載置部１ａに設置し、他の１つのトレー２をスライドトレー支持体１の第２トレー載置部１ｂに設置する（図７及び図８）。
【００２２】
スライドトレー支持体１とトレー２の当接部分は、第１トレー載置部１ａの場合、第１トレー載置部１ａ側が、スライドトレー支持体１の第１ガイド部２ａの上板の上面及び補強部材５の上面であり、トレー２側がトレー２の裏面である。また、当該当接部分のいずれか一方の面又は両面に滑り部材を付設してもよい。滑り部材としては、特に制限されず、例えばローラー、リブ状部材及びコーティング剤の塗布物又は滑り材の貼付物が挙げられる。
【００２３】
この状態において、商品をトレー２に補充する場合、トレー２を手前に引き出して補充作業を行えばよい。スライドトレー支持体１は固定状態であり、トレー２はスライドトレー支持体１上を滑らかに移動するため、トレー２の引き出しは円滑に行える。また、前方の商品が売れるなどして前方部分に空きが生じた場合、同様にトレー２を手前に引き出し、奥にある商品を前出し、奥のスペースに新たな商品を補充し、次いでトレー２を押して元の位置に戻すという簡易な操作で容易に行うことができる。トレー２は引き出し量が大きくなっても、トレー２の第１ガイド部２１の前方端とスライドトレー支持体１の前方桟部材４ａの突起部４１２が当接するため、トレー２が外れることはない。
【００２４】
次に、本発明の第２の実施の形態におけるスライド式商品陳列棚について図９〜図１６を参照して説明する。図９は本例のスライド式商品陳列棚で用いるスライドトレー支持体の斜視図、図１０〜図１３は本例のスライド式商品陳列棚の組み付け方法を説明する図、図１４〜図１６は商品の補充方法を説明する図である。図９〜図１６において、図１〜図８と同一の構成要素には同一符合を付して、その説明を省略し、異なる点について主に説明する。すなわち、本第２の実施の形態におけるスライド式商品陳列棚１０ａにおいて、第１の実施の形態におけるスライド式商品陳列棚１０と異なる点は、設置される商品陳列棚の形態及びスライドトレー支持体の形態である。すなわち、本例のスライド式商品陳列棚１０ａは、一対の支柱１１、１１間に直接設置されるものであり、商品陳列棚は無い場合である。支柱１１、１１は既存のものであっても、新設の支柱のいずれであってもよい。また、本例のスライド式商品陳列棚１０ａで用いるスライドトレー支持体１Ａにおいて、第１の実施の形態例のスライド式商品陳列棚１０で用いるスライドトレー支持体１と異なる点は、本例のスライド式商品陳列棚１０ａの後方両側部に設置されるのは、支柱１１のスリット１２に係合する係止片３１１を有するブラケット３１とした点にある。
【００２５】
次に、本例のスライド式商品陳列棚１０ａの設置方法を図１０〜図１３を参照して説明する。先ず、スライドトレー支持体１Ａのブラケット３１の係止片３１１を支柱１１、１１のスリット１２に差込み、固定する（図１０）。次に、第１の実施の形態例のスライド式商品陳列棚１０と同様に、２つのトレー２、２を用意し、１つのトレー２をスライドトレー支持体１の第１トレー載置部１ａに設置し、他の１つのトレー２をスライドトレー支持体１の第２トレー載置部１ｂに設置する（図１１及び図１２）。本例のスライド式商品陳列棚１０ａの取り扱い方法及び商品をトレー２に補充する方法は、第１の実施の形態例のスライド式商品陳列棚１０と同様である。
【００２６】
次に、本例のスライド式商品陳列棚１０ａが図１４に示すように多段式陳列面を形成する場合の商品の補充方法を図１５〜図１６を参照して説明する。図１４のスライド式商品陳列棚１０ａの下段の陳列面には、商品が陳列面の前方側に陳列され、奥側が空いている状態である。この場合、同様に下段のトレー２を手前に引き出し（図１５）、奥のスペース６０に新たな商品を補充し（図１６）、次いでトレー２を押して元の位置に戻せばよい(図１４)。従来のゴンドラ式陳列棚の中間棚においては、上下の棚板間隔が狭く、手が奥まで入れ難く商品の補充作業を困難なものにしていたが、本例の後付スライド式商品陳列棚１０ａによれば、商品補充作業が容易となる。
【図面の簡単な説明】
【００２７】
【図１】第１の実施の形態例のスライド式商品陳列棚の使用状態を示す図である。
【図２】本例のスライド式商品陳列棚で用いるトレーの斜視図である。
【図３】本例のスライド式商品陳列棚で用いるスライドトレー支持体の斜視図である。
【図４】（Ａ）は図２のトレーの裏側から見た斜視図、（Ｂ）は（Ａ）のＺ方向から見た部分拡大図である。
【図５】本例のスライド式商品陳列棚の組み付け方法を説明する図である。
【図６】図５に続いて行う組み付け工程を説明する図である。
【図７】図６に続いて行う組み付け工程を説明する図である。
【図８】図７に続いて行う組み付け工程を説明する図である。
【図９】第１の実施の形態例のスライド式商品陳列棚で用いるスライドトレー支持体の斜視図である。
【図１０】本例のスライド式商品陳列棚の組み付け方法を説明する図である。
【図１１】図１０に続いて行う組み付け工程を説明する図である。
【図１２】図１１に続いて行う組み付け工程を説明する図である。
【図１３】図１２に続いて行う組み付け工程を説明する図である。
【図１４】商品の補充方法を説明する図である。
【図１５】商品の補充方法を説明する図である。
【図１６】商品の補充方法を説明する図である。
【図１７】第１ガイド部と第２ガイド部の他の嵌合状態を示す図である。
【図１８】第１ガイド部と第２ガイド部の他の嵌合状態を示す図である。
【図１９】第１ガイド部と第２ガイド部の他の嵌合状態を示す図である。
【符号の説明】
【００２８】
１、１Ａ          スライドトレー支持体
１ａ              第１トレー載置部
１ｂ              第２トレー載置部
２                トレー
２ａ、２ｂ        第１ガイド部
３                係合片
４ａ〜４ｄ        桟部材
５                補強材
６                中間桟部材
８                底板
１０、１０ａ      スライド式商品陳列棚
１１              支柱
１２              スリット
２４              第２ガイド部
３１              ブラケット
４０              商品陳列棚
４１１            係止片
４１２            突起部
【図１】
2006087777.tif 000003
【図２】
2006087777.tif 000004
【図３】
2006087777.tif 000005
【図４】
2006087777.tif 000006
【図５】
2006087777.tif 000007
【図６】
2006087777.tif 000008
【図７】
2006087777.tif 000009
【図８】
2006087777.tif 000010
【図９】
2006087777.tif 000011
【図１０】
2006087777.tif 000012
【図１１】
2006087777.tif 000013
【図１２】
2006087777.tif 000014
【図１３】
2006087777.tif 000015
【図１４】
2006087777.tif 000016
【図１５】
2006087777.tif 000017
【図１６】
2006087777.tif 000018
【図１７】
2006087777.tif 000019
【図１８】
2006087777.tif 000020
【図１９】
2006087777.tif 000021